(57)【特許請求の範囲】
【請求項１】
ロール紙が内部に装填されたトレイをこのトレイが収容されている装置の外部に引き出して上記ロール紙の交換が可能な給紙装置において、
上記トレイには、上記ロール紙の先端を繰り出すための駆動手段を駆動するオートフィードスイッチと、該オートフィードスイッチのＯＮ操作が行われることにより繰り出される上記ロール紙の先端位置を検知するための移動検出部を構成する第１，第２の光学センサと、支持部から繰り出されるロール紙の先端を切断可能な切断機構とが備えられ、切断後のロール紙を排出するロール紙の出口が直線状の搬送路に設けられ、上記第１，第２の光学センサは上記切断機構の直前および直後にそれぞれ配置され、ロール紙の排出出口が第２の光学センサの直後に配置され、
ロール紙の繰り出しに用いられる繰り出しローラと上記第１の光学センサとの間の距離をＬ１とし、
第１の光学センサと切断機構との間の距離をＬ２とし、
切断機構と第２の光学センサとの間の距離をＬ３とし、
第２の光学センサとロール紙の排紙出口との間の距離をＬ４とし、
上記繰り出しローラにより第１の光学センサに向け搬送されるロール紙の移動速度をＶ０としたとき、
（Ｖ０×光学センサＳ２での検出時から繰り出し継続時間）−Ｌ４＞所定の長さ）であるときのみ上記切断機構を作動させることを特徴とする給紙装置。
【請求項２】
請求項１記載の給紙装置において、
上記切断機構は、繰り出されたロール紙の先端部の長さが、上記関係式を満たすことによりその先端部が取り出せる長さで切断することを特徴とする給紙装置。
【請求項３】
請求項１または２に記載の給紙装置を用いることを特徴とする画像形成装置。
【発明の詳細な説明】
【０００１】
【発明の属する技術分野】
本発明は、給紙装置および画像形成装置に関し、さらに詳しくは、ロール紙の給送機構に関する。
【０００２】
【従来の技術】
複写機やプリンタあるいはファクシミリ装置などの画像形成装置においては、普通紙などに画像が転写され、画像出力物とされる。
【０００３】
出力媒体としては、シート状の紙だけでなくロール状の紙、いわゆるロール紙も用いられる。
【０００４】
出力媒体の一つであるロール紙の場合で説明すると、ロール紙が全消費されたり、あるいは汚れたりさらには吸湿した場合、また、これに加えて定型サイズのシートを得るような場合には、画像形成装置内からロール紙を収容しているトレイを外部に引き出してロール紙の交換やロール紙の切断などの作業が行われる。
【０００５】
トレイ内に装填されるロール紙は、その端縁、特に引き出される側である先端の端縁が不揃いとなっていることが多い。このため、ロール紙の給送部材により搬送される際に給送部材によって挟持される状態が幅方向で不均一となるのを防止したりあるいは定型サイズに設定するには端縁を揃える作業が必要となる。  従来、端縁揃えのための方法としては、ロール紙が装填されたトレイを画像形成装置内に挿入する前にオペレータ等がカッターを用いて切断する方法、画像形成装置内にトレイを挿入した後でロールの先端を無駄のない寸法で繰り出し、画像形成装置内に装備されているカッターを駆動させて切断する方法がある。
【０００６】
【発明が解決しようとする課題】
ロール紙の先端を切断する時には、ロール紙の先端を切断しやすい位置まで引き出すことが手順として必要となる。トレイを画像形成装置の外部に引き出したままで先端を切断する場合にはオペレータ自身がロール紙の先端を引き出すことになる。
オペレータ自身によるロール紙先端の引き出しは、小サイズのロール紙を対象とした場合には比較的容易に行える。
【０００７】
しかし、例えば、Ａ０、Ａ１などのように大きいサイズのロール紙を対象とした場合には、ユーザ自身によって先端を引き出すのにはかなりの労力が必要となる。しかも、そのサイズのロール紙を幅方向に切断するには手首だけでなく、腕を大きく動かしたりあるいは体を移動させることになり、簡単な操作ではロール紙先端の切断が行えない。
【０００８】
そこで、ロール紙を画像形成装置内に装備されているカッターにより機械的に切断する方法が用いられる。この場合には、画像形成装置内に挿入されたトレイに収容されているロール紙の先端を自動的に繰り出してその先端を画像形成装置内に装備されているカッターを駆動することにより自動的に切断する。
しかし、切断される先端部の長さが短いと切断された先端部が画像形成装置内の搬送路で詰まり、いわゆる、ジャムを引き起こす虞がある。なぜならば、先端部の長さが短く、例えば、短冊状となった先端部が搬送路に止まると、それを取り出すことが困難である。この結果、切断されて新たな先端が揃えられたロール紙を繰り出すと、繰り出されたロール紙の移動が搬送路に止まっている切断済みの先端部によって阻害されてジャムを発生する。
【０００９】
本発明の第１の目的は、上記従来の給紙装置、特に、外部に引き出された状態でロール紙の切断作業が行われる構成を備えた給紙装置において、ロール紙のサイズに関係なく先端繰り出しおよび切断をロール紙装填時およびオペレータが所望する時期に自動的に行える構成を備えた給紙装置を提供することにある。
【００１０】
本発明の第２の目的は、切断された先端部が新たに繰り出されるロール紙の移動を阻害しないようにしてジャムの発生を防止できる構成を備えた給紙装置を提供することにある。
【００１１】
本発明の第３の目的は、ロール紙を交換した後でのロール紙の先端揃えを自動的に行えるとともに切断された先端部の取り出しがロール紙をセットされる画像形成装置内ではなく外部において行える構成を備えた画像形成装置を提供することにある。
【００１２】
【課題を解決するための手段】
請求項１記載の発明は、ロール紙が内部に装填されたトレイをこのトレイが収容されている装置の外部に引き出して上記ロール紙の交換が可能な給紙装置において、上記トレイには、上記ロール紙の先端を繰り出すための駆動手段を駆動するオートフィードスイッチと、該オートフィードスイッチのＯＮ操作が行われることにより繰り出される上記ロール紙の先端位置を検知するための移動検出部を構成する第１，第２の光学センサと、支持部から繰り出されるロール紙の先端を切断可能な切断機構とが備えられ、切断後のロール紙を排出するロール紙の出口が直線状の搬送路に設けられ、上記第１，第２の光学センサは上記切断機構の直前および直後にそれぞれ配置され、ロール紙の排出出口が第２の光学センサの直後に配置され、ロール紙の繰り出しに用いられる繰り出しローラと上記第１の光学センサとの間の距離をＬ１とし、第１の光学センサと切断機構との間の距離をＬ２とし、切断機構と第２の光学センサとの間の距離をＬ３とし、第２の光学センサとロール紙の排紙出口との間の距離をＬ４とし、上記繰り出しローラにより第１の光学センサに向け搬送されるロール紙の移動速度をＶ０としたとき、（Ｖ０×光学センサＳ２での検出時から繰り出し継続時間）−Ｌ４＞所定の長さ）であるときのみ上記切断機構を作動させることを特徴としている。
【００１３】
本発明では、上記関係式における左辺がロール紙排紙出口から先端が繰り出される長さに相当し、この長さがオペレータにより掴める長さに達しているときに限って切断するので、先端繰り出しおよび切断の際に必要とされる労力の軽減および切断された先端部が切断箇所に残ることがないので、切断された先端部が装置内での搬送路中に止まることがない。
【００２０】
請求項２記載の発明は、上記切断機構は、繰り出されたロール紙の先端部の長さが、上記関係式を満たすことによりその先端部が取り出せる長さで切断することを特徴としている。
【００３０】
請求項３記載の発明は、請求項１乃至６のうちの一つに記載の給紙装置を画像形成装置に用いることを特徴としている。
【００３１】
本発明では、ロール紙の交換時にロール紙の先端の繰り出しおよび切断が自動的に行えるので、先端の引き出しや揃え作業をオペレータが行わなくて済む。これにより、ロール紙交換時での労力負担や切断された先端が短い場合に発生するジャムを未然に防止することができる。
【００３２】
【発明の実施の形態】
以下、図示実施例により各請求項記載の発明の実施の形態を説明する。
図１は、本発明実施例による給紙装置が適用される画像形成装置が示されており、同図に示す画像形成装置は複写機である。
図１において複写機１は、画像形成部１Ａと原稿読み取り部１Ｂと給紙装置２とを備えている。本実施例では、給紙装置２の構成として、ロール紙Ｐを用いる構成を対象としている。
画像形成部１Ａには、潜像担持体である感光体１Ｃ及びこの感光体に対して画像形成プロセスを実行する帯電装置（図示されず）、書き込み装置（図示されず）、現像装置（図示されず）、転写装置１Ｄ、さらには、転写後の画像を定着する定着装置１Ｅが装備されている。
給紙装置２から繰り出された転写媒体であるロール紙Ｐはレジストローラ３によって感光体１Ｃ上での画像位置との整合タイミングを設定されて感光体からの画像転写を受け、定着装置１Ｅにより定着後、排紙トレイ１Ｆに向けて排出される。
【００３３】
原稿読み取り部１Ｂは、感光体１Ｃへの書き込み部も兼ねた周知の原稿走査構造を備えている。
【００３４】
給紙装置２は、複写機本体から引き出しおよび挿入可能な方向に摺動できるトレイ４を備えている。本実施例では、上下に２段のトレイ（便宜上、上段のトレイは符号４’で示す）が備えられている。
【００３５】
トレイ４，４’には、それぞれ異なるサイズのロール紙Ｐを収容可能な支持部２Ａと、図２および図３において符号２Ｂで示すロール紙Ｐの繰り出し手段と、図１において符号５で示すカッターで構成された切断機構５とが設けられている。
【００３６】
本実施例において繰り出し手段２Ｂは、図２および図３に示すように、ロール紙Ｐを挟持搬送可能な一対のローラで構成されている。一方のローラの支軸には、軸方向一端に従動ギヤ１０が取り付けられており、従動ギヤ１０は、駆動モータＭの駆動ギヤＭ１に噛み合っている。繰り出し手段２Ｂは駆動モータＭに連動してロール紙Ｐを繰り出せる方向に回転する。一方のローラの支軸には、従動ギヤ１０と反対側の端部にノブ９が設けられており、オペレータによって掴まれることにより任意な回転を行うことができる。
【００３７】
給紙装置２には、繰り出し手段２Ｂの回転駆動を行うためのオートフィードスイッチ６および繰り出されたロール紙Ｐの先端位置を検出するための移動検出部材である第１，第２の光学センサＳ１，Ｓ２（以下、便宜上、光学センサＳ１，Ｓ２と表示することもある）が備えられている。
本実施例においては、オートフィードスイッチ６がＯＮ操作される時に駆動モータＭが駆動を開始し、ＯＮ操作が継続される間、駆動モータＭの駆動が維持される。また、オートフィードスイッチ６がＯＮ操作を解除されてＯＦＦ操作に転じられると、切断機構５によるロール紙先端の切断動作が開始されるが、その切断動作は後述する条件に基づき実行される。
【００３８】
光学センサＳ１，Ｓ２は、発光部と受光部とを備えた反射型の光学センサが用いられ、繰り出し手段２Ｂの位置から画像形成装置内の搬送路に至る間の搬送路中で少なくも１カ所に設けられている。本実施例では、図２に示すように、繰り出し手段２Ｂの位置から切断機構５の切断位置までの間（図２中、符号Ｓ１で示す）と、切断機構５の切断位置からトレイ４からロール紙Ｐの先端が進出するトレイ４の出口位置までの間（図２中、符号Ｓ２で示す）との２カ所に配置されている。
【００３９】
なお、図２において符号２Ｃは、繰り出し手段２Ｂの位置から切断機構５に至る間の搬送路でロール紙Ｐをガイドするガイド板を示しており、ガイド板２Ｃは繰り出し位置から移動するロール紙Ｐの移動方向を直角に曲折させて複写機１の内部に設けられている搬送路１Ｇと連続することができる。
【００４０】
本実施例では、繰り出し手段２Ｂによって繰り出されるロール紙Ｐの先端位置を検出し、その検出結果に応じて切断制御が行われる。以下、切断制御について説明する。
まず、移動検出部材である光学センサＳ１，Ｓ２と繰り出し手段２Ｂの位置および切断機構５の切断位置との配置位置関係が次の通り設定されている。
【００４１】
Ｌ１：繰り出しローラ２Ｂと光学センサＳ１との間の距離
Ｌ２：光学センサＳ１と切断装置５との間の距離
Ｌ３：切断装置５と光学センサＳ２との間の距離
Ｌ４：光学センサ５とトレイ４でのロール紙排出出口との間の距離
なお、符号Ｌ５は、ロール紙排出出口から排出されたロール紙Ｐの先端が存在する範囲を示している。
【００４２】
本実施例では、上記各部材間での距離を用いて後述する制御部によりロール紙Ｐの繰り出し状況が判別される。
図３は、図２に示した各部材と制御部との関係を説明するためのブロック図であり、同図において制御部７は、マイクロコンピュータによる主要部が構成され、図示しないＩ／Ｏインターフェースを介して入力側には光学センサＳ１，Ｓ２および繰り出しローラ２Ｂの駆動モータＭの作動態位を設定するオートフィードスイッチ６さらにはロール紙Ｐの先端での切断長さ、つまり、先端から切断位置までの距離を指定する操作部などの入力部８が接続されている。制御部７の出力側には、切断装置５および繰り出し手段２Ｂの駆動モータＭが図示しない駆動部を介してそれぞれ接続されている。
【００４３】
制御部７では、繰り出し手段２Bにより繰り出されるロール紙Ｐの移動速度と各光学センサＳ１，Ｓ２でのロール紙Ｐの先端検知タイミングとによってロール紙Ｐの移動距離、つまりロール紙Ｐの先端位置を算出し、オートフィードスイッチ６がＯＦＦ操作に転じた際にロール紙Ｐの先端位置が所定の長さ以上に繰り出されていないときには切断作業を行わないで繰り出し手段２Ｂを停止させる。
【００４４】
制御に用いられる算出方法は次の通りである。
（Ａ）上記各部材間を通過するロール紙Ｐの先端位置を繰り出し手段２Ｂによる線速と各センサ間での移動時間とにより割り出す。
各センサ間での移動時間が正常繰り出し時での移動時間よりも超過した場合あるいは移動検出ができない場合には正常な繰り出しが行われていないと判断して警報する。
【００４５】
この場合に比較される移動時間は各部材間の距離と移動速度とがわかっているので、繰り出し手段２Ｂの位置から光学センサＳ１までは、移動速度をＶ０とした場合、Ｌ１／Ｖ０で得られる。
今ひとつの光学センサＳ２を用いたロール紙Ｐの移動時間は、上記と同様な原理により、（Ｌ１＋Ｌ２＋Ｌ３）／Ｖ０で得られ、光学センサＳ１，Ｓ２間での移動時間は（Ｌ２＋Ｌ３）／Ｖ０で得られる。
【００４６】
これら、各移動時間が予め設定されている正常繰り出し時での移動時間として制御部７に登録され、この登録された移動時間に対して実際の移動時間が入力されて比較される。
（Ｂ）切断時には、切断機構５に対してロール紙Ｐの先端が通過していることが前提となるが、単に切断機構５を通過するだけでなく、外部から取り出しができる長さ以上に繰り出されていることが重要となる。
【００４７】
このため、制御部７では、ロール紙Ｐの先端位置を割り出し、その先端位置が所定長さ、つまり、切断された先端部をトレイ４出口において掴み取って取り出すことができる長さであるかどうかを判別し、その長さに達していない場合には切断を行わず、少なくともその長さ、つまり外部から先端を掴み取って取り出せる長さに達している場合に限って切断する。
【００４８】
この場合に用いられる先端位置の割り出し方法は次の通りである。
切断機構５の切断位置から光学センサＳ２を通過した位置までの距離を次の（１）式で求める。
（Ｖ０×光学センサＳ２での検出時からの繰り出し継続時間）＋Ｌ３・・(１)
（１）式により求められたロール紙Ｐの先端位置を次の（２）式で示した関係が成立した場合にのみ切断機構５を動作させてロール紙Ｐの先端を切断する。
「（Ｖ０×光学センサＳ２での検出時から繰り出し継続時間）−Ｌ４＞所定の長さ」・・・（２）
（２）式における左辺は、図２において、符号Ｌ５で示すように、トレイ４の出口から先端が繰り出される長さに相当しており、この長さ（Ｌ５）がトレイ４の外部からオペレータが掴める長さであればよく、本実施例では、２５ｍｍ程度に設定されている。この結果、制御部７では、トレイ４において交換されたロール紙Ｐがオートフィードスイッチ６のＯＮ操作により繰り出されると、その繰り出された長さ、つまり、トレイ４の進出位置から繰り出された長さ（Ｌ５）が所定の長さに達しているときに限って、オートフィードスイッチ６がＯＦＦ操作に転じられた時点で連続して切断する。
【００４９】
制御部７では、上記所定の長さに達していない場合は切断作業を行わない代わりに、図示しない操作パネルなどを用いてオペレータに警報し、先端の繰り出し調整をオートフィードスイッチ６のＯＮ操作やノブ９の操作によって行わせるようになっている。なお、警報処理に関しては、（１）に挙げた条件において、正常繰り出しが行われなかったと判断した場合にも行われる。
【００５０】
本実施例は以上のような構成であるから、手順を説明するフローチャートを示した図４において作用を説明すると次の通りである。
例えば、ロール紙の支持部２Ａに新たなロール紙Ｐが装填されると、その先端が繰り出し手段２Ｂの位置まで引き出されて挟持される。この場合の操作はオペレータが繰り出し手段２Ｂに装備されているノブ９を掴んで行われる（ＳＴ１）。  新たなロール紙Ｐが装填される場合としては、ロール紙の全消費、汚れた場合および吸湿などによる劣化時がある。
オートフィードスイッチ６が押圧操作されると、繰り出し手段２Ｂの駆動モータＭが回転し、繰り出し手段２Ｂが連動することで挟持されているロール紙Ｐが繰り出される（ＳＴ２、ＳＴ３）。
【００５１】
オートフィードスイッチ６は、押圧されたときにＯＮ操作されるようになっており、ＯＮ操作時のみ駆動モータＭへの給電が可能である。従って、ＯＮ操作が解除されると駆動モータＭが回転を停止する。
【００５２】
オートフィードスイッチ６が押圧されてＯＮ操作されたときのみ駆動モータＭだ駆動されることにより、繰り出し手段２Ｂの近辺でロール紙Ｐの先端を繰り出し手段２Ｂに挟持させた際に指や衣服の一部が繰り出し手段２Ｂに触れたなどの事態が生じた場合にオートフィードスイッチ６の押圧を解除するだけで繰り出し手段２Ｂを停止させることができ、巻き込み事故などを未然に防止することができる。
【００５３】
オートフィードスイッチ６のＯＮ操作が継続されている場合には、光学センサＳ１による先端の移動時間が監視され（ＳＴ４）、その移動時間が所定時間、つまり、正常繰り出し時での移動時間を超過した場合には、正常繰り出しが行われていないかあるいはロール紙Ｐの先端が繰り出し位置にセットされていない状態と判断して、ジャムあるいは、これと同様な現象となる紙なし状態やロール紙Ｐの未セット状態であることを警報し（ＳＴ５）、切断機構５を動作させないままとする（ＳＴ６）。
【００５４】
ステップＳＴ４で実行されたロール紙Ｐの移動時間の監視結果において、正常に繰り出されていると判断した場合には、オートフィードスイッチ６がＯＮ操作からＯＦＦ操作に転じられると（ＳＴ７）、切断作業を実行する前にロール紙Ｐの先端位置が判別される（ＳＴ８）。
ステップＳＴ８では、ロール紙Ｐの先端位置が所定の長さに繰り出されているかどうかが判別されるが、その判別処理は、（２）に挙げた関係式によって実行される。
【００５５】
ステップＳＴ８においてロール紙先端が所定の長さに繰り出されていない場合には、オートフィードスイッチ６がＯＦＦ操作に転じていることにより繰り出し手段２Ｂが停止されたままに維持され、切断作業が行われない（ＳＴ６）。これに対して、ロール紙先端が所定の長さ以上に繰り出されている場合には切断機構５が動作してロール紙先端が切断される（ＳＴ９）。切断されたロール紙Ｐの先端部はその繰り出し位置がトレイ４の出口を超えてはみ出ているので、外部から掴み取ることにより容易に取り出すことができる（ＳＴ１０）。
【００５６】
図５は、ステップＳＴ８及びＳＴ９での処理を時間軸で表現した図であり、同図において、符号Ｓ０は、（２）式に示した所定の長さ（Ｌ５）に相当する長さである。
この場合の所定の長さは、ロール紙Ｐの先端揃えのために予め入力部９（図３参照）によって設定されるが、その長さを変更することもできる。つまり、図５において、オートフィードスイッチ６がON操作されると、繰り出し手段２Ｂでの線速と光学センサＳ２での検出時からの繰り出し継続時間とによりロール紙の先端位置が算出され、その算出結果で得られたロール紙先端の繰り出し量が所定長さに達すると、オートフィードスイッチ６のＯＮ操作が継続されているにもかかわらず、駆動モータＭが一旦停止され、その停止状態が、図５中、符号ΔｔＳで示す時間だけ継続される。
符号ΔｔＳ示す時間内にオートフィードスイッチ６がＯＦＦ操作に転じられると、切断機構５によってロール紙Ｐの先端が切断されるが、オートフィードスイッチ６がＯＦＦ操作に転じられないままであると、符号ΔｔＳで示す時間を経過すると再度駆動モータＭが駆動を開始されてロール紙Ｐが繰り出される。このため、繰り出しが再開されると、ロール紙Ｐは、オートフィードスイッチ６がＯＦＦ操作に転じるまでの間繰り出されることになる。このような処理は、先端揃えのための切断に加えて、定型サイズのシートを作り出すことにも利用できる。
【００５７】
先端揃えのための先端切断が終了すると、トレイ４あるいは４’が複写機１内に挿入され、給紙態位とされる。この結果、複写機１の搬送路１Ｇに切断された先端部が入り込むことがなく、搬送路１Ｇ内においてジャムを起こすようなことがなくなる。
【００５８】
次に本発明の実施形態に係る別実施例について説明する。
本実施例は、オートフィードスイッチ６がその押圧量に応じてＯＮ操作時での出力が変化することを特徴としている。
図６は、別実施例を説明するための図であり、押圧時の押し込み量に比例して駆動モータＭの回転速度が変化し、押し込み量が増えるに従い駆動モータＭの回転速度が上昇して繰り出し速度（図６では搬送速度と表現してある）が増加するようになっている。このような構成とすることにより、切断位置近傍が切断装置５を通過する際には低速とし、それ以外の箇所が通過する際には高速として切断装置５に対するロール紙先端の位置決めを精度良く行うことができる。この場合でのロール紙Ｐの先端位置の算出は、繰り出し手段２Ｂでの線速の変化量を積分し、上記（２）式に当てはめて求めることが可能である。
【００５９】
【発明の効果】
以上説明したように、本発明によれば、画像形成装置から引き出されたトレイに例えば、新たなロール紙が装填されると、自動的に先端の繰り出しおよび先端揃えのための切断処理が実行でき、しかも切断に際しては、繰り出し量に応じて切断可能な場合と切断ができない場合とを識別して処理することができ、さらには、切断れた先端部が引き出されているトレイにおいて取り出すことができるので、オペレータへの労力負担の軽減、作業性の改善および画像形成装置内でのジャムの発生が確実に防止できる。
【図面の簡単な説明】
【図１】本発明実施例による給紙装置が用いられる画像形成装置の一例である複写機の内部構造を説明するための模式図である。
【図２】図１に示した給紙装置の要部構成を説明するための模式図である。
【図３】図２に示した要部の構成に用いられる各部材と繰り出し制御に用いられる制御部との関係を説明するためのブロック図である。
【図４】図２に示した要部構成での動作手順を説明するためのフローチャートである。
【図５】図４に示したフローチャートのステップにおいて、切断処理を行う時点での内容を説明するためのタイミングチャートである。
【図６】図２に示したオートフィードスイッチの構成に関する変形例の作用を説明するためのタイミングチャートである。
【符号の説明】
１          画像形成装置の一例である複写機
１Ｇ        ロール紙の搬送路
２          給紙装置
２Ａ        ロール紙支持部
２Ｂ        繰り出し手段をなすローラ
４          給紙装置の主要部をなすトレイ
５          切断装置
６          オートフィードスイッチ
７          制御部
８          切断長さの設定が可能な入力部
Ｍ          繰り出し装置の構成部材の一つである駆動モータ
Ｓ１，Ｓ２  光学センサ
Ｐ          ロール紙
【図１】
0004340396.tif 000002
【図２】
0004340396.tif 000003
【図３】
0004340396.tif 000004
【図４】
0004340396.tif 000005
【図５】
0004340396.tif 000006
【図６】
0004340396.tif 000007